(57)【要約】      （修正有）【課題】容器を開封すると、収納物が開口部へとせり上がる仕組みを可能とする。【解決手段】容器１内フタ折込み左右フタフラップ４Ｒ、４Ｌ先端に続いて収納物収納部ともなるせり上がり構造帯６Ｒ、６Ｌを設け、左右それぞれの先端を底部で連結することで容器と一体となり、また既成容器や、容器素材と異なり、任意な素材を以てせり上がり構造帯とし後付される場合にあっても前記同様、容器内フタ折込みフラップ４Ｒ、４Ｌ内側の任意な位置に、任意な素材を用いた収納物収納部ともなるせり上がり構造帯を接合一体化、容器フタ折込みフラップを外側に傾斜、開口すると、容器フタ折込みフタフラップ内側に一体、或は一体化されたせり上がり構造帯がせり上がることで、収納物が容器開口部に向けてせり上がることを可能とする構造の容器とした。【選択図】図１
2018177361.tif 000002
【特許請求の範囲】
【請求項１】
物品を収納するダンボールケースや、プラスチックケースなどの任意な素材、またＡ式やＣ式等の任意な形状、形式とし、さらに内フタ折込みフラップをその必要部位に取付けた構造とした容器の、天面開口部の相対する内フタ折込みフラップは、収納物戴置帯部となるに十分な構造とする折り罫線や、ミシン目等を、必要部位に施した帯状となるよう、収納物品を戴置保持するに十分で任意な巾、形状とし、その長さをフラップ裏側に反転するなどし、また容器側面高さを加えるなどした任意な長さに、略同じ構造、長さとした、相対する側の内フタ折込みフラップ先端が、互いに任意な位置で重なり合い、嵌め込み合わせや、面ファスナーによる接合や、接着剤接着等任意な方法で接合し得るに十分な長さを加えた、収納物戴置帯部とした構造としたので、内フタ折込みフラップを、容器天面開口部に対し略水平に開くことで、収納物戴置帯は、容器開口部へとせり上がるので収納物品を、収納物戴置帯上に置き、内フタ折込みフラップを、収納容器内側に折込みフタすることで収納物品は容器内に収まり、その収納物品を取出すには、内フタフラップを外側に開くなどすることで、収納物戴置帯上の収納物品も容器開口部へとせり上がり、取出しやすくなる構造としたことを特徴とした容器である。
【請求項２】
物品を収納するダンボールケースや、プラスチックケースなどの、任意な素材、またＡ式やＣ式等の任意な形状、形式に、内フタ折込みフラップを必要部位に取付けた構造だけの容器にあっても、同素材、または板紙や布シートや樹脂フィルムや網目状ネット等や、それら素材にスリットや円、楕円形や、星型など多角形など任意な形状を施すなどした、任意な別素材を用いて、その容器上部開口部にある、相対する互いの内フタ折込みフラップ表側または裏側の任意な位置から、相対する内フタ折込みフラップ裏側に収納物を保持するに十分な平板、Ｕ字状、天面開口筒状シート、フィルムなどの任意な形状の素材を、収納物戴置連結帯とするに十分な長さとし、収納物戴置部を兼ねる連結帯として、そのフラップ内側の任意な位置に、接着剤接着や、加熱融着による接着や、面ファスナーなどによる接合など、任意な方法で接合することで、収納物戴置帯を有するせり上り容器と成り、内フタ折込みフリップを容器天面開口部外側に略水平に開くなどすることで、収納物戴置帯上の収納物も容器開口部へとせり上がり、また取出しやすくなる構造としたことを特徴とする容疑である。
【請求項３】
請求項１と請求項２に示す、フタ折込みフラップと一体とした収納物収納せり上り構造帯上に、戴置された収納物が、フタ折込みフラップの開閉に際する移動防止などの目的をもって、収納物収納せり上り構造帯に突起、または切込み、または防滑剤の塗布など任意な方法で施し、収納物が保持固定される構造として収納物収納せり上り構造帯とを一体とした容器である。
【発明の詳細な説明】
【技術分野】
【０００１】  本発明は、収納物を収納容器から簡単な構造で、容器開口部へとせり上らせ、取り出しやすく、また陳列展示効果も有する容器に関するものである。
【背景技術】
【０００２】  収納物を、その容器から取出す方法として、特許文献１に開示されたスライド箱は、外装横置きスリーブ箱に、横に差込まれた箱内の収納物を横に引き出す構造とするので、収納物はせり上がらず、引き出しスペースを必要とするなどの問題がある。【０００３】  そして、特許文献２に開示された紙製容器は、その容器素材を紙製に限定した点、また小型軽量な菓子などを対象とした紙製容器であるので、収納物の限定や、ひき上げが制限されるという問題点がある。
【特許文献１】特開２００１−１５８４２１号公報
【特許文献２】特開２００９−１３７６０３号公報
【発明の開示】
【発明が解決しようとする課題】
【０００４】  解決しようとする問題点は、収納物の引き上げを画するために、収納物を限定したり、外装容器内に内装容器をと二重構造とするなど、またその引き上げ構造が複雑であるなどの点である。
【課題を解決するための手段】
【０００５】  本発明は、容器１フタ折込み左右フラップに続く帯状部を、収納物収納せり上り構造帯として、左右折込みフラップ先端内側から左右側面へ、そして底面ほぼ中央部など任意な位置で接合可能な長さとし、その接合部を底面中央部など任意な位置で接着接合するなどして一体とした収納物収納せり上り構造帯は、フタ折込み左右フラップを容器外側に開くことで、容器底部からせり上がるので、そこに戴置された収納物は、その後、フタ折込み左右フタフラップを内側に折り込むことで収納物は、容器底部に収納、封緘梱包され、容器開封時にはフタ折込み左右フラップを外側に傾けることで、せり上り構造帯上の収納物が容器開口部へとせり上がる構造としたことを最も主要な特徴とする。
【発明の効果】
【０００６】  本発明の容器は、容器フタ折込み左右フラップに続く収納物収納せり上り構造帯を左右それぞれ設け、接合一体としたので、そこに戴置された収納物は、容器フタ折込み左右フラップを外側に傾けることにより容易にせり上がる利点がある。【０００７】  また、容器素材と、収納物収納せり上り構造帯とを異なる素材とする場合にあっても、相対する容器フタ折込みフラップ先端に、任意な素材からなる収納物収納せり上り構造帯を接合一体とすることで容易に作成される利点がある。
【発明を実施するための最良の形態】
【０００８】  収納物収納を兼ねる収納部せり上り構造帯を任意な巾の帯状とし、容器フタ折込み左右フラップの先端から内側に折り返し、容器内側側面に、そして底面ほぼ中央部へと繋げあった左右重なりあう長さとしたせり上り構造帯を、底部中央部で任意な方法で接合固定し一体とすることにより、せり上り構造帯に戴置収納梱包された収納物は、容器フタ折込み左右フラップを外側に開封することによってせり上がることを実現した。
【実施例１】
【０００９】  図１は、図６に示す展開図を組立成形し、収納物収納せり上り構造帯６Ｒ、６Ｌの端部９Ｒ、９Ｌを接合一体９とし、内フタ折込み右左フラップ４Ｒ、４Ｌを容器１外側に傾斜しせり上げた状態を示す略斜視図である。【００１０】  図２、図３は、容器フタ８を除いて示す、内フタ折込み右左フラップ４Ｒ、４Ｌの端部９Ｒ、９Ｌを接合一体９とした収納物収納せり上り構造帯６を有する容器１の略正面断面図である。【００１１】  図３は、容器フタ８を除いて示す、図２容器の収納物収納せり上り構造帯６の上に収納物１２を戴置する前の状態を示す略正面断面図である。【００１２】  図４は、内フタ折込み右左フラップ４Ｒ、４Ｌを容器外側に傾斜させ、収納物収納せり上り構造帯６を容器内にとどめ、その上に収納物１２を戴置した状態を示す略正面断面図である。【００１３】  図５は、図４に示す状態の容器内に、容器と収納物との間に緩衝空間を設けた状態で戴置収蔵された収納物１２を、内フタ折込み右左フラップ４Ｒ、４Ｌを折り畳み収蔵された状態を示す略正面断面図である。【００１４】  図４、図５、図６は、収納物収納せり上り構造帯を有する容器とした容器１に、収納物戴置、収納、内折込みフラップ封緘梱包への流れを示すものでもあり、開梱包、取り出し、或は展示はその逆、図６〜図４への流れとなる。【００１５】  図６は、前記実施例に示す本発明容器の作成展開図であり、容器底部５を囲む罫線１０を谷折りして立上げ、糊しろ１１に接着剤を塗布し、容器正面２ａ、容器向こう正面２ｂと、更に容器側面右３Ｒ、３Ｌとを固着して容器１を成形し、容器側面右３Ｒ先端から内フタ折込み右フラップ４Ｒに続く収納物収納せり上り構造帯６Ｒ、そして右と同様容器側面左３Ｌ先端から内フタ折込み左フラップ４Ｌに続く収納物収納せり上り構造帯６Ｌとを、その先端９Ｒ、９Ｌで接合一体とすることを可能とするものである。
【産業上の利用可能性】
【００１６】  収納物を容易に容器開口部からせり上げさせられるので、梱包作業を早められ、また贈り物などの場合には、開封時に収納物がせり上がり現れるので、サプライズ効果も得られ、そして容器内にせり上げたままの姿で陳列開示が可能となるので、店頭陳列作業も容易となり作業性が軽減されることも期待される。【００１７】  また、収納物収納せり上り構造帯長さを、容器内の側面、底面との間に緩衝空間を設けられる長さとすることで、収納物は外部からの衝撃を緩和されることも期待される。【００１８】  また、せり上り構造帯と容器とが異なる素材とする場合や、同じ素材とする場合でも既製の容器に後付したい場合にあっても、収納物収納せり上り構造帯を、取り付ける容器のフラップの任意な位置に後付で取り付けることで、同様の効果を得られる。
【図面の簡単な説明】
【００１９】
【図１】図６に示す展開図を組み立てた状態を示す略斜視図である。
【図２】図１に示す斜視図の上フタを除いた正面断面図である。
【図３】図１に示す斜視図の上フタを除き、内フタ折込みフラップを立てて、収納物収納せり上り構造帯をせり上げた状態を示す正面断面図である。
【図４】図３に示す断面図のうち、内フタ折込みフラップを容器外側に傾斜させ、収納物を収納物収納せり上り構造帯に戴置させた状態を示す正面断面図である。
【図５】図４に示す、収納物を収納物収納せり上り構造帯上に戴置させ、内フタフラップを閉じて容器内に収納した状態を示す正面断面図である。
【図６】図１に示す、本発明の収納物収納せり上り構造帯付容器とする展開図の一例である。
【符号の説明】
【００２０】      １      容器
２−ａ  容器正面
２−ｂ  容器向う正面
３−Ｒ  容器右側面
３−Ｌ  容器左側面
４−Ｒ  内フタ折込み右フラップ
４−Ｌ  内フタ折込み左フラップ
５      容器底面
６      左右内フタフラップ接合し一体とした収納物収納せり上り構造帯
６−Ｒ  内フタ折込み右フラップに続くせり上り構造帯
６−Ｌ  内フタ折込み左フラップに続くせり上り構造帯
６−ａ  任意な素材を以て、収納物収納せり上り構造帯として後付されたせり上り              構造帯
７      容器上部フタ
８      容器上部フタ差込み部
９      一体とした収納物収納せり上り構造帯
９−Ｒ  右、せり上り構造帯接合部
９−Ｌ  左、せり上り構造帯接合部
１０    折込み罫線
１１    容器組立てのりしろ部
１２    収納物
１３    収納物収納部
１４    容器と収納物との緩衝空間
【図１】
2018177361.tif 000003
【図２】
2018177361.tif 000004
【図３】
2018177361.tif 000005
【図４】
2018177361.tif 000006
【図５】
2018177361.tif 000007
【図６】
2018177361.tif 000008